(57)【要約】【課題】  容易な残ガスの抜き取り操作が可能な機構を簡単な構造で実現することを課題とする。【解決手段】  容器本体と、容器本体のステムに嵌合するノズルヘッドと、容器本体の上端部に嵌合装着する外装筒の上端に内鍔状の頂壁を介してノズルヘッドの下降上昇変位のガイドの機能を果たすガイド筒を垂下設したキャップ体を有するエアゾール容器において、キャップ体のガイド筒の上端部から頂壁にかけての部分に、両側部に設けた一対の連結片を支点として回動可能に周囲をスリットに囲まれる可動片を形成し、キャップ体をノズルヘッドと共に容器本体から取り外した状態で、連結片部分を支点として可動片の下端部が回転状に上方変位してノズルヘッドの頂部に係止する構成し、この係止状態でキャップ体をノズルヘッドと共に容器本体に再装着し、残ガスの抜き取りを可能に構成する。【選択図】  図１
2008273533.tif 000002
【特許請求の範囲】
【請求項１】
容器本体(1)と、該容器本体(1)のステム(2)に嵌合し前方に噴出口(15)を有するノズルヘッド(11)と、前記容器本体(1)の上端部に嵌合装着する外装筒(22)の上端に内鍔状の頂壁(23)を介して、前記ノズルヘッド(11)が挿通して該ノズルヘッド(11)の下降上昇変位のガイドの機能を果たすガイド筒(31)を垂下し、前記外装筒(22)とガイド筒(31)の、前記ノズルヘッド(11)の噴出口(15)に対向する位置に噴出液が通過する欠部を形成したキャップ体(21)を有するエアゾール容器において、前記キャップ体(21)のガイド筒(31)の上端部から頂壁(23)にかけての部分に、両側部に設けた一対の連結片(37)を支点として回動可能に周囲をスリット(38)に囲まれる可動片(36)を形成し、前記ノズルヘッド(11)のキャップ体(21)に対する下降限を決めると共に、ノズルヘッド(11)がキャップ体(21)と共に容器本体(1)から取り外し可能に前記ガイド筒の下端部に係止突片(33)を付設し、前記キャップ体(21)をノズルヘッド(11)と共に容器本体(1)から取り外した状態で、ノズルヘッド(11)のキャップ体(21)に対する前記下降限位置で、可動片(36)の上端部の押込み操作により、前記連結片(37)部分を支点として下端部が回転状に上方変位してノズルヘッド(11)の頂部(12)に係止する構成とし、該係止状態でのキャップ体(21)とノズルヘッド(11)の容器本体(1)への再装着により残ガスの抜き取りが可能に構成したことを特徴とするエアゾール容器。
【請求項２】
ノズルヘッド(11)の押圧操作における下降限で、可動片(36)の上端部の押込み操作による下端部の回転状の上方変位がノズルヘッド(11)の側壁により不能となるよう、前記可動片(36)の下端が前記ノズルヘッド(11)の頂部(12)外周縁(12e)より十分下方に位置する構成とした請求項１記載のエアゾール容器。
【請求項３】
外装筒(22)に、連結片(37)部分を支点とした可動片(36)の上端部の回転状の下方変位の限界を決める当接部を付設した請求項１または２記載のエアゾール容器。
【請求項４】
可動片(36)の上端部の押込み操作により、連結片(37)部分を支点として、前記可動片(36)の下端面がノズルヘッド(11)の頂部(12)外周縁(12e)に摺動した状態で回転状に上方変位して前記ノズルヘッド(11)の頂部(12)に係止する構成とした、請求項１、２または３記載のエアゾール容器。
【請求項５】
ノズルヘッド(11)の頂部(12)を、外周縁(12e)から中央部にかけて凹状の形状とし、該外周縁(12e)がエッジ状に突出する構成とした請求項１、２、３または４記載のエアゾール容器。
【請求項６】
キャップ体(21)の左右両側に可動片(36)を形成した請求項１、２、３、４または５記載のエアゾール容器。
【発明の詳細な説明】
【技術分野】
【０００１】
本発明は、残ガスの抜き取り操作を簡単にできるようにしたエアゾール容器に関する。
【背景技術】
【０００２】
たとえば特許文献１には、エアゾール容器本体の上端部にアンダーカット状に組付け固定したプロテクターリングを取り外した後に、カバーキャップを被せてノズルヘッドを押下げ位置に維持するようにして残ガスを抜き取るようにしたエアゾール容器に係る発明が記載されている。
【特許文献１】特開２００１−２１５４号公報
【発明の開示】
【発明が解決しようとする課題】
【０００３】
上記のエアゾール容器では、プロテクターリングの取り外しが容易でないこと、このためプロテクターリングに取り外しを容易にするための引き裂き帯や、剥ぎ取りリングを付設する必要があり構造が複雑になる、と云う問題がある。
【０００４】
そこで本発明の技術的な課題は、容易な残ガスの抜き取り操作が可能な機構を簡単な構造で実現すること、にある。
【課題を解決するための手段】
【０００５】
本発明の課題を解決するための本発明の構成は、
容器本体と、この容器本体のステムに嵌合し前向きの噴出口を有するノズルヘッドと、容器本体の上端部に嵌合装着する外装筒の上端に内鍔状の頂壁を介して、ノズルヘッドが挿通してこのノズルヘッドの下降上昇変位のガイドの機能を果たすガイド筒を垂下し、外装筒とガイド筒のノズルヘッドの、噴出口に対向する位置に噴出液が通過する欠部を形成したキャップ体を有するエアゾール容器において、
キャップ体のガイド筒の上端部から頂壁にかけての部分に、両側部に設けた一対の連結片を支点として回動可能に周囲をスリットに囲まれる可動片を形成すること、
ノズルヘッドのキャップ体に対する下降限を決めると共に、ノズルヘッドがキャップ体と共に容器本体から取り外し可能にガイド筒の下端部に係止突片を付設すること、
キャップ体をノズルヘッドと共に容器本体から取り外した状態で、ノズルヘッドのキャップ体に対する下降限位置で、可動片の上端部の押込み操作により、連結片部分を支点として下端部が回転状に上方変位してノズルヘッドの頂部に係止する構成とすること、
この係止状態でのキャップ体とノズルヘッドの容器本体への再装着により残ガスの抜き取りが可能に構成すること、
にある。
【０００６】
本発明の上記構成により、通常の使用ではノズルヘッドを指先で押圧状に、キャップ体のガイド筒に沿って押下げることにより、容器本体のステムが下降し、エアゾールバルブが開いて、内容液を噴出口から噴出させることができる。
【０００７】
使用後の、残ガスの抜き取り操作にあたっては、まずキャップ体を容器本体から取り外すが、ガイド筒の下端部に付設した係止突片の作用効果により、ノズルヘッドをガイド筒に挿通した状態で、キャップ体と共にノズルヘッドを容器本体から取り外すことができる。
【０００８】
このようにキャップ体をノズルヘッドをガイド筒に挿通したまま容器本体から取り外し、ガイド筒内でノズルヘッドを係止突片で決められる下降限位置まで下げた状態にして、可動片の上端部を押込むと、連結片部分を支点として可動片が回動し、その下端部が、回転状に上方変位してノズルヘッドの頂部に係止するようにすることができる。
【０００９】
そして、このような係止状態で、すなわちノズルヘッドがガイド筒に対して下降変位した位置に固定した状態で、キャップ体をノズルヘッドと共に容器本体に再装着すると、ステムが下降変位した状態で固定され、残ガスの抜き取りができる。
【００１０】
また、上記構成のエアゾール容器では、一端キャップ体とノズルヘッドを取り外し、可動片をノズルヘッドの頂部に係止し、再装着して残ガスの抜き取り操作を実施するので、通常の使用時に誤って残ガスの抜き操作するような誤操作を防ぐようにすることができる。
【００１１】
また本発明の別の構成は、ノズルヘッドの押圧操作における下降限で、可動片の上端部の押込み操作による下端部の回転状の上方変位がノズルヘッドの側壁により不能となるよう、可動片の下端がノズルヘッドの頂部外周縁より十分下方に位置する構成とすること、にある。
【００１２】
上記構成は、通常の使用態様で誤操作により可動片がノズルヘッドの頂部に係止しないようにしたものであり、上記構成により誤って可動片の上端部を押込もうとしても、ノズルヘッドの側壁により可動片の下端部の回転状の上方変位が阻止されるので、通常の使用時に誤って、残ガスの抜き操作するような誤操作をより確実に防ぐことができる。
【００１３】
なお、可動片の下端をノズルヘッドの頂部外周縁より僅か下方に位置させた場合、可動片自体が薄肉等で変形し易すいと、下端部が変形しながらノズルヘッドの頂部外周縁に乗り越え係止するので、可動片の下端をどの程度下方に位置させるかは可動片の変形性等を考慮して設定する必要があり、このような観点からここでは「十分下方に位置する・・・」と云うようにしている。
【００１４】
また本発明の別の構成は、外装筒に、連結片部分を支点とした可動片の上端部の回転状の下方変位の限界を決める当接部を付設したものである。
【００１５】
ステムの上方付勢力が比較的大きな場合には、キャップ体とノズルヘッドを再装着した際に、この力の作用により可動片がさらに回動変位して、ノズルヘッドの頂部に係止する下端部がさらに上方変位し、ステムが上昇して残ガスの抜き取りが十分にできなくなる恐れがあるが、
上記構成により当接部により可動片の回動変位の限界を設定することにより、可動片の下端部の係止効果が損なわれないようにすることができる。
【００１６】
また本発明の別の構成は、可動片の上端部の押込み操作により、連結片部分を支点として、可動片の下端面がノズルヘッドの頂部外周縁に摺動した状態で回転状に上方変位してノズルヘッドの頂部に係止する構成としたものである。
【００１７】
上記構成により、連結片部分を支点として、可動片の下端面をノズルヘッドの頂部外周縁に摺動させながら、スムーズに回転状に上方変位させてノズルヘッドの頂部に乗り越え係止させることができ、このような係止状態では、可動片の下端縁が頂部に当接するので、この下端部の脱係止を確実に防ぐことができる。
【００１８】
また本発明の別の構成は、ノズルヘッドの頂部を、外周縁から中央部にかけて凹状の形状とし、外周縁がエッジ状に突出するように構成したものである。
【００１９】
上記構成により、係止状態で可動片の下端部がエッジ状に突出した外周縁部分に引っ掛かるような状態とすることができ、可動片の頂部への係止状態をより確実に維持することができる。
【００２０】
また本発明の別の構成は、キャップ体の左右両側に可動片を形成したものである。
【００２１】
上記構成により、キャップ体の左右両側に形成される一対の可動片により、より確実にノズルヘッドの頂部を係止することができる。
【発明の効果】
【００２２】
本発明は上記した構成となっているので、以下に示す効果を奏する。
すなわち、キャップ体と共にノズルヘッドを容器本体から取り外し、連結片部分を支点として可動片を回動させてその下端部をノズルヘッドの頂部に係止させ、この係止状態で、キャップ体をノズルヘッドと共に容器本体に再装着すると、ステムが下降変位した状態で固定され、残ガスの抜き取りを実行でき、可動片と云う簡単な構造で、残ガスの抜き取操作を容易に実行することができる。
【００２３】
ノズルヘッドの押圧操作における下降限で、可動片の上端部の押込み操作による下端部の回転状の上方変位がノズルヘッドの側壁により不能となるよう、可動片の下端がノズルヘッドの頂部外周縁より十分下方に位置する構成としたものにあっては、ノズルヘッドの側壁により可動片の下端部の回転状の上方変位が阻止されるので、通常の使用時に誤って、残ガスの抜き操作するような誤操作をより確実に防ぐことができる。
【００２４】
外装筒に、連結片部分を支点とした可動片の上端部の回転状の下方変位の限界を決める当接片を付設したものにあっては、ステムの上方付勢力が比較的大きな場合にも、当接部により可動片の回動変位の限界を設定することにより、可動片の下端部の係止効果が損なわれないようにすることができる。
【００２５】
可動片の下端面がノズルヘッドの頂部外周縁に摺動した状態で回転状に上方変位してノズルヘッドの頂部外周縁に係止する構成としたものにあっては、可動片の下端面をノズルヘッドの頂部外周縁に摺動させながら、スムーズに回転状に上方変位させてノズルヘッドの頂部に乗り越え係止させることができ、また、可動片の下端縁を頂部に当接させて可動片の脱係止を確実に防ぐことができる。
【００２６】
ノズルヘッドの頂部の外周縁から中央部にかけて凹状の形状とし、外周縁がエッジ状に突出するようにしたものにあっては、係止状態で可動片の下端部がエッジ状に突出した外周縁部分に引っ掛かるような状態とすることができ、可動片の頂部への係止状態をより確実に維持することができる。
【００２７】
左右両側に可動片を形成したものにあっては、左右一対の可動片により、より確実にノズルヘッドの頂部を係止することができる。
【発明を実施するための最良の形態】
【００２８】
以下、本発明の実施の形態を実施例に沿って、図面を参照しながら説明する。
図１〜図７は本発明のエアゾール容器一実施例を示すものであり、図１は斜視図、図２は縦断側面図、図３は縦断正面図、図４は平面図である。
この容器は容器本体１と、ノズルヘッド１１とキャップ体２１の３つの部材から構成される。
【００２９】
容器本体１は、有底円筒状の胴部の上端部に環状リム３を有し、頂部中央にエアゾールバルブ（図示省略）に連結するステム２が起立配設されている。
【００３０】
ノズルヘッド１１は、有頂長円筒状の外筒１４を有し、外筒１４の頂部１２からこの外筒１４の内側にステム２に外嵌する円筒状の嵌合筒１３を垂下設している。また、このノズルヘッド１１の前部では、外筒１４の壁の一部を円錐台状に凹ませて、嵌合筒１３の壁と一体連設し、この一体連設部分に嵌合筒１３に連通する貫通横孔１３ａを形成し、噴出口１５といている。
【００３１】
また、頂部１２は、前部から後部にかけて下方に傾斜していると共に、前端部および左右端部から中央部にかけて凹むような形状として、指先によるノズルヘッド１１の押下げ操作をし易い形状としている。また、外筒１４の左右側面の下端部近傍には一対のガイド突片１６が突設されている。
【００３２】
キャップ体２１は、容器本体１の上端部に嵌合装着する円筒状の外装筒２２を有し、この外装筒２２の上端から内鍔状の頂壁２３を介し、ノズルヘッド１１の外筒１４に緩やかに外嵌して、下降上昇変位のガイドの機能を果たす、長円筒状のガイド筒３１を垂下設している。
【００３３】
また、前部では、外装筒２２の壁とガイド筒３１のノズルヘッド１１の噴出口１５に対向する位置に噴出液が通過する円形の欠部２２ａ、３１ａを形成している。また、ガイド筒３１の左右側部の下端から上方に、ノズルヘッド１１のガイド突片１６が係合する一対のガイドスリット３２を形成している。
【００３４】
また、本実施例ではキャップ体２１の後部で、頂壁２３を下方に凹ませるようにして凹部２４を形成し、この凹部２４を利用して、エアゾール容器の後方から指をノズルヘッド１１の頂部１２に当てて押下げ操作が容易にできるようにしている。
【００３５】
また、このガイド筒３１の内周面下端部、ガイドスリット３２の後方位置に、左右両側一対の係止突片３３が突設されている。この係止突片３３はノズルヘッド１１の外筒１４の下端面に係合して、ノズルヘッド１１のガイド筒３１に対する下降限を決める。
【００３６】
また、キャップ体２１の左右両側の、ガイド筒３１の上端部から頂壁２３にかけての部分に、両側部に残存形成した一対の連結片３７を支点（回転軸）として回動可能に周囲をスリット３８に囲まれる可動片３６を一対形成している。
また、外装筒２２の内周面には、可動片３６の上端部の回転状の下方変位の限界を決める当接部としての機能を発揮する左右一対の突条２５を縦方向に形成している。
【００３７】
次に、上記説明した容器本体１とノズルヘッド１１とキャップ体２１の一般的な組み立て方法を説明する。まず、ガイド突片１６をガイドスリット３２に位置合わせた状態で、ノズルヘッド１１をガイド筒３１の下方から、挿通する。
一端挿通すると、ノズルヘッド１１は係止突片３３の係止機能により簡単に抜け落ちることなく、ガイド筒３１内に保持される。
【００３８】
そして、このようにノズルヘッド１１をガイド筒３１内に挿通した状態で、キャップ体２１をノズルヘッド１１と共に、容器本体１の上端部に装着する。この装着状態では、ノズルヘッド１１の嵌合筒１３が段部１３ｂを利用して押下げ可能にステム２に外嵌し、外装筒２２の下端部が容器本体１の環状リム３に係止状に嵌着する。（図２、図３参照）
【００３９】
そして、図２、図３に示すような組み立て状態で、指先でノズルヘッド１１の頂部１２を押し下げると、ステム２が下降して（図５参照）エアゾールバルブが開き、ステム２、嵌合筒１３、貫通横孔１３ａを経て噴出口１５から内容液が噴出する。
この押下げ操作は、ガイド突片１６のガイドスリット３２への係止によりスムーズに達成することができる。
【００４０】
ここで、図５に示すようにノズルヘッド１１の下降限界位置では、可動片３６の下端はノズルヘッド１１の頂部１２の外周縁１２ｅより十分下方に位置しているので、このような通常の使用状態では、可動片３６の下端部が頂部１２に係止できないようにして、誤操作を防止するようにしている。
【００４１】
次に、内容液を使い終わった際の、残ガスの抜き取り操作について説明する。
まず、キャップ体２１と共にノズルヘッド１１を容器本体から取り外し、ノズルヘッド１１を、外筒１４の下端面の係止突片３３への係止により決まるキャップ体２１に対する下降限まで下降させ、図６に示すように頂壁２３近傍部分で可動片３６を押込んで（図６中の白抜き矢印参照）、一対の連結片３７を支点（回転軸）として、この可動片３６の下端部を回転状に上方に変位させ、その下端がノズルヘッド１１の頂部１２の外周縁１２ｅの上方に位置するように変位させる。
【００４２】
ここで、本実施例では可動片３６の下端がガイド筒３１の外周面の外側に位置するようにしており、このような可動片３６の配設態様により、頂壁２３近傍部分での可動片３６の押込み操作により、可動片３６の下端面をノズルヘッド１１の頂部１２外周縁１２ｅに摺動させながらスムーズに回転状（図６中の一点鎖線の円弧参照）に上方変位させることができ、また下端角部３６ｃを外周縁１２ｅに当接させて頂部１２に係止させることにより可動片３６が容易に脱係止することがないようにすることができる。
【００４３】
なお、上記のように可動片３６の下端面をノズルヘッド１１の頂部１２外周縁１２ｅに摺動させる構成のほかにも、可動片３６の下端部の弾性変形性を利用して、その下端部を外周縁１２ｅ近傍に乗り越え係止させる構成とすることもできる。また、可動片３６の下端部を外周縁１２ｅに接触させることなく上方変位させ、連結片３７部分の部分的な永久変形により元の位置への弾性的な復元を抑制して頂部１２への係止機能を保持する構成とすることもできる。
【００４４】
また、本実施例ではノズルヘッド１１の頂部１２の外周縁１２ｅから中央部にかけて凹状の形状とし、外周縁１２ｅがエッジ状に突出するように構成しているが、このような形状の外周縁１２ｅを利用して可動片３６の下端部がこのエッジ状に突出した外周縁１２ｅ部分に引っ掛かるような状態として、可動片３６が容易に脱係止することがないようにすることもできる。
【００４５】
そして、このように可動片３６の下端部をノズルヘッド１１の頂部１２に係止させた状態で、キャップ体２１と共にノズルヘッド１１を容器本体１に再装着すると、図７に示すように、ステム２が下降変位した状態で固定され、残ガスの抜き取りができる。
【００４６】
ここで、ステム２の上方付勢力が比較的大きな場合には、この力の作用により、ノズルヘッド１１の頂部１２に係止する可動片３６の下端部がさらに上方変位し、ステム２が大きく上昇して残ガスの抜き取りが十分にできなくなる恐れがあるが、外装筒２２の内周面に形成した、当接部としての機能を発揮する左右一対の突条２５の頂部に可動片３６の上端縁が当接し、可動片３６の連結片３７を支点とした回動変位の限界を設定し、下端部の係止効果が損なわれないようにしている。
【００４７】
以上、本発明の実施の形態を実施例に沿って説明したが、本発明の実施の態様はこれら実施例に限定されるものではない。
例えば、ノズルヘッド１１とキャップ体２１の形状はさまざまな形態のものを使用することができ、上記実施例ではノズルヘッド１１を嵌合筒１３と外筒１４の２重筒状としたが外筒１４のない構成とすることもできる。
また、上記実施例ではキャップ体２１において噴出液の通過のための円形の欠部２２ａ、３１ａを形成しているが、前部において頂壁２３を下方に凹ませるようにして凹部を形成して欠部とすることもできる。
【産業上の利用可能性】
【００４８】
以上説明したように、本発明のエアゾール容器は簡単な構造で残ガスの抜き取り操作を容易にできるようにしたものであり幅広い用途への展開が期待される。
【図面の簡単な説明】
【００４９】
【図１】（ａ）は本発明のエアゾール容器の一実施例の斜視図、（ｂ）、（ｃ）はそれぞれキャップ体とノズルヘッドの斜視図である。
【図２】図１の容器の縦断側面図である。
【図３】図１の容器の縦断正面図である。
【図４】図１の容器の平面図である。
【図５】図１の容器で、ノズルヘッドを押下げた状態を示す縦断正面図である。
【図６】図１の容器のキャップ体と共にノズルヘッドを取外し、可動片を変位させる過程を示す縦断正面図である。
【図７】図６の状態で、キャップ体と共にノズルヘッドを容器本体に装着した状態を示す縦断正面図である。
【符号の説明】
【００５０】
１  ；容器本体
２  ；ステム
３  ；環状リム
１１；ノズルヘッド
１２；頂部
１２ｅ；外周縁
１３；嵌合筒
１３ａ；貫通横孔
１３ｂ；段部
１４；外筒
１５；噴出口
１６；ガイド突片
２１；キャップ体
２２；外装筒
２２ａ；欠部
２３；頂壁
２４；凹部
２５；突条
３１；ガイド筒
３１ａ；欠部
３２；ガイドスリット
３３；係止突片
３６；可動片
３６ｃ；下端角部
３７；連結片
３８；スリット
【図１】
2008273533.tif 000003
【図２】
2008273533.tif 000004
【図３】
2008273533.tif 000005
【図４】
2008273533.tif 000006
【図５】
2008273533.tif 000007
【図６】
2008273533.tif 000008
【図７】
2008273533.tif 000009